(57)【要約】【課題】所定用紙に手書きで記入した事項を印刷する際におけるミスプリントを無くすと共に、大きな用紙へのプリントアウトを可能にしたノート型パソコンを提供する。【解決手段】第一の筐体部（可動筐体部１０）と第二の筐体部（固定筐体部２０）とを備えてなるノート型パソコンにおいて、第一の筐体部または第二の筐体部には、用紙への記載事項を読み取るスキャナ手段（読取センサ１５）が備えられた構成としてある。このようにすれば、用紙を読み取り、ＯＣＲ部（４２）で手書き文字を解析し、印刷用のデータに変換して印刷できる。従って、手書き文字を、人間が端末（パソコン）へキー入力する際の入力ミスが無くなり、また、例えば、Ａ４版の大きな用紙を扱うことも可能となる。【選択図】      図１
2005018364.tif 000002
【特許請求の範囲】
【請求項１】
第一の筐体部と第二の筐体部とを備えてなるノート型パソコンにおいて、
前記第一の筐体部及び／又は前記第二の筐体部が、用紙に記載されている事項を読み取るスキャナ手段を有した
ことを特徴とするノート型パソコン。
【請求項２】
請求項１記載のノート型パソコンにおいて、
前記第一の筐体部及び／又は前記第二の筐体部が、前記スキャナ手段で読み取られた前記事項を表示する表示手段を有した
ことを特徴とするノート型パソコン。
【請求項３】
請求項１又は請求項２記載のノート型パソコンにおいて、
前記第一の筐体部及び／又は前記第二の筐体部が、前記スキャナ手段で読み取られた前記事項を解析する解析手段と、
この解析手段で解析されたデータを印刷する印刷手段とを有した
ことを特徴とするノート型パソコン。
【請求項４】
請求項１〜請求項３のいずれかに記載のノート型パソコンにおいて、
前記第一の筐体部の内部で前記用紙を搬送する第一の搬送路と、
前記第二の筐体部の内部で前記用紙を搬送する第二の搬送路とを有し、
前記第一の搬送路と前記第二の搬送路とが連通するように備えられた
ことを特徴とするノート型パソコン。
【請求項５】
請求項１〜請求項４のいずれかに記載のノート型パソコンが、印刷用用紙を収納した給紙カセット手段に組み合わせて使用する印刷用用紙供給手段を有した
ことを特徴とするノート型パソコン。
【発明の詳細な説明】
【０００１】
【発明の属する技術分野】
本発明は、ノート型パソコンに関し、特に、所定用紙に手書きで記入された事項を印刷する際におけるミスプリントを無くすと共に、用紙へのプリントアウト（印刷）を可能にしたノート型パソコンに関する。
【０００２】
【従来の技術】
近年、情報処理技術や通信技術の進歩により、汎用パーソナルコンピュータ（以下、略して「パソコン」と記す）の高速処理化，メモリの大容量化が実現されている。これに伴い、パソコンは、その利用分野が広がり、今や、家庭や職場で必要不可欠な存在となってきている。
【０００３】
こうした状況下で、生命保険会社で契約社員として働くセールスレディーの仕事内容も変化してきている。
例えば、セールスレディーの業務の一例として、「ライフプラン」と称する生命保険の「設計書」を紙媒体で作成する業務がある。この「ライフプラン」には、生命保険加入時の年齢等の基本的事項を記入する他に、多種多様な項目を記入する必要がある。
【０００４】
従来、この紙媒体への記入事項は様式化（フォーマット化）されており、第一段階として、セールスレディーが顧客から記入項目の内容を聞き取り、「仮設計書」に手書きで記入し、記入済みの仮設計書を営業拠点である支部に持ち帰る。
次いで、セールスレディーが端末装置の前で、予め用意してある記入事項の基準書類との照合作業を行い、第二段階の仮設計書を作成して顧客との間で検討する。顧客に異論が無ければ、端末装置をメインコンピュータに接続して、印刷装置により設計書を印刷発行する。
そして、この印刷発行した設計書を、顧客に渡していた。
【０００５】
しかし、このような複雑な手順では、時間的ロスが発生し、作業ミスを起こすおそれがある。
また、そうした手順で行う間に、端末装置への入力にミスがあると、高価な紙媒体（予め正式様式が印刷された飾り付きの用紙）への印刷がミスプリントとなってしまう。
しかも、ミスプリントがあった場合、経営者側は、セールスレディーにペナルティを課している。ペナルティの具体例としては、セールスレディーが高価な紙媒体を自己負担し購入する。或いはミスプリントが度重なれば、セールスレディーへの歩合給の一部を減らす等であった。
【０００６】
このような業務慣行下では、経営者側にとっては高価な紙媒体の損失は勿論であるが、肝心の働き手であるセールスレディーのモチベーション低下を来たしていた。このモチベーションの低下は、その顧客に適応した良質な商品の提供を逸するおそれがあり、さらなる能率向上のための新システムや新方法手段が待ち望まれていた。
【０００７】
このような要望に適応した装置の例として、データ入力と印刷出力とを一台で行うコンピュータの提案がある。例えば、プリンタ機能を有した携帯端末の提案である（例えば、特許文献１参照。）。
この提案によれば、一台の携帯端末で、データの入力と用紙への印刷の双方を実行することができる。
【０００８】
【特許文献１】
特開２００２−１７５２２６号公報（第９頁、第二図、第一３図）
【０００９】
【発明が解決しようとする課題】
しかしながら、特許文献１の携帯端末は、携帯できる程度に小型されたものであるため、プリントアウト可能な用紙のサイズが限られていた（せいぜいＡ７サイズ）。従って、生命保険の設計書のように、Ｂ５サイズ以上の大きな用紙を印刷することができなかった。
【００１０】
また、この携帯端末は、スキャナ機能を有していないため、用紙に印刷されている文字や画像等を読み取ることができなかった。
しかも、この携帯端末は、表示部のサイズも限られているため、所定サイズ以上（例えば、Ｂ５サイズ以上）の画像を画面表示するのが困難であった。
【００１１】
このため、ノート型パソコン等の汎用パソコンを使用している業種（生命保険会社等）においては、小型化された携帯端末が業務上役に立つとはいえなかった。
つまり、ノート型パソコン等を使用している業種においては、携帯端末ではなく、ノート型パソコンを用いて効率的に仕事を進めることができ、かつミス入力の回避が可能な技術の提供を望んでいた。
【００１２】
本発明は、上記のような問題を解決するためになされたものであり、所定用紙に手書きで記入された事項を印刷する際のミスプリントを無くすと共に、Ｂ５，Ａ４，Ｂ３など比較的大きな用紙へのプリントアウトを可能にし、かつ、ノート型パソコンを用いる業種の仕事の効率化を可能とするノート型パソコンの提供を目的とする。
【００１３】
【課題を解決するための手段】
上記目的を達成するために請求項１記載のノート型パソコンは、第一の筐体部（図１の可動筐体部１０）と第二の筐体部（固定筐体部２０）とを備えてなるノート型パソコンにおいて、第一の筐体部及び／又は第二の筐体部が、用紙（図４の読取用用紙Ｐ１）に記載されている事項を読み取るスキャナ手段（読取センサ１５等）を有した構成としてある。
【００１４】
このようにすれば、例えば、図２に示すように、Ａ４版のノート型パソコン１の第一の筐体部には、スキャナ手段（読取センサ１５等）が備えられているので、用紙Ｐ１を読み取り、ＯＣＲ部（図９の４２）で手書き文字を解析し、印刷用のデータに変換して印刷できる。従って、手書き文字を、人間が端末装置（パソコン）へキー入力する際の入力ミスが無くなり、また、例えば、Ａ４版などの大きな用紙Ｐ１を扱うことも可能となる。
さらに、ノート型パソコンを使用する業種においては、紙媒体に手書きで記入された記載事項をキー入力しなくてもスキャナ手段で読み取ってデータ化できるため、仕事の効率化を図ることができる。
【００１５】
また、請求項２記載のノート型パソコンは、請求項１記載のノート型パソコンにおいて、第一の筐体部及び／又は第二の筐体部が、スキャナ手段で読み取られた事項を表示する表示手段（図１の表示部１１）を有した構成としてある。
このようにすれば、スキャナ手段が読み取った手書き文字を表示手段に表示し、再度の記入事項の確認をすることができる。また、表示手段にはＯＣＲ部４２で解析後の文字等の表示をすることも、可能である。
【００１６】
また、請求項３記載のノート型パソコンは、請求項１又は請求項２記載のノート型パソコンにおいて、第一の筐体部及び／又は第二の筐体部が、スキャナ手段で読み取られた事項を解析する解析手段（ＯＣＲ部４２）と、この解析手段で解析されたデータを印刷する印刷手段（印字ヘッド２４）とを有した構成としてある。
【００１７】
このようにすれば、挿入口１２ｃから挿入された手書きの読取用用紙Ｐ１をスキャナ手段が読み取り、読み取った後、フラッパー２２ｅを介して第二の搬送路２２に搬送し、排出口２２ｃから排出することができる。また、解析手段で解析後は、前記と同じ経路で印刷用用紙Ｐ２（図４）を搬送しつつ、印刷手段により活字体の文字（鮮明な文字）で印刷をすることが可能となる。
【００１８】
また、請求項４記載のノート型パソコンは、請求項１〜請求項３のいずれかに記載のノート型パソコンにおいて、第一の筐体部の内部で用紙を搬送する第一の搬送路と、第二の筐体部の内部で用紙を搬送する第二の搬送路とを有し、第一の搬送路と第二の搬送路とが連通するように備えられた構成としてある。
このようにすれば、挿入口１２ｃから挿入された手書きの読取用用紙Ｐ１を、フラッパー２２ｅを介して第二の搬送路２２に搬送し、排出口２２ｃから排出することができる。
【００１９】
また、請求項５記載のノート型パソコンは、請求項１〜請求項４記載のいずれかに記載のノート型パソコンが、印刷用用紙を収納した給紙カセット手段（図１１の給紙装置５０）に組み合わせて使用する印刷用用紙供給手段（ガイド板５４，給紙孔５５，ガイド部材５６，フラッパー２２ｅ等）を有した構成としてある。
【００２０】
このようにすれば、給紙カセット手段に積層載置された印刷用用紙Ｐ２を、順次自動的に第二の搬送路２２，印字ヘッド２４へ搬送することができるので、印刷用用紙Ｐ２の手差しの煩わしさを、無くすことが出来る。
【００２１】
【発明の実施の形態】
以下、本発明に係るノート型パソコンの好ましい実施形態について、図面を参照して説明する。
［第一実施形態］
まず、本発明のノート型パソコンに係る第一の実施形態について、図１、図２を参照して説明する。
図１は、本実施形態のノート型パソコンの外観構成を示す全体斜視図、図２は、本実施形態のノート型パソコンの内部構造を示す断面側面図である。
【００２２】
図１及び図２に示すように、ノート型パソコン１は、可動筐体部１０と、固定筐体部２０と、ヒンジ部３０とを備えてなり、それら可動筐体部１０と固定筐体部２０とは、ヒンジ部３０を介して開閉自在となっている。なお、最大開度は１２０度とすることができる。
【００２３】
可動筐体部（第一の筐体部）１０は、表示部１１と、第一の搬送路１２と、搬送ローラ１３ａ，１３ｂと、給紙検知センサ１４と、読取センサ１５とを有している。
表示部（表示手段）１１は、ＬＣＤ（液晶ディスプレイ），ＣＬＴ（ブラウン管），プラズマディスプレイなどのうちいずれか一以上で構成でき、ユーザインタフェイス（例えば、キーボード２１（後述）等）で入力された文字等，ユーザインタフェイスの操作にもとづいて選ばれた画像，映像等を表示する。また、表示部１１は、読取センサ１５で読み取られた用紙（原稿）の記載事項を画像として表示することもできる。
【００２４】
第一の搬送路１２は、図３に示すように、対向配置した上板１２ａ及び下板１２ｂと、用紙が挿入される挿入口１２ｃとを備えて構成されている。
なお、この第一の搬送路１２（及び、後述する第二の搬送路２２）によって搬送される用紙としては、例えば、セールスレディーにより手書き記入済みの仮設計書（図３の読取用用紙Ｐ１）や、読み取った手書きの仮設計書を文字データに変換して印刷するための印刷用用紙（図３の印刷用用紙Ｐ２）などがある。
【００２５】
搬送ローラ１３ａ，１３ｂは、第一の搬送路１２における所定の位置に、用紙を挟持するように配置されている。
この搬送ローラ１３ａ，１３ｂが回転することにより、挿入口１２ｃで挿入された用紙が、可動筐体部１０の上方から第一の搬送路１２の内部を通って、可動筐体部１０の下方へ搬送される。
【００２６】
なお、ノート型パソコン１を開いた状態で用紙を挿入口１２ｃから挿入すれば、重力の落下作用を利用できるので、安定して用紙を下方に搬送できる。
また、本実施形態においては、用紙が可動筐体部１０の可動筐体部１０の上方から第一の搬送路１２の内部を通って可動筐体部１０の下方へ搬送されるときの用紙の搬送方向を「第一の給紙方向Ａ」とする。
【００２７】
給紙検知センサ１４は、挿入された用紙を検知すると検知信号を出力する。この検知信号は、搬送ローラ１３ａ，１３ｂの回転駆動や、読取センサ１５の読取駆動等のトリガ信号として使用される。
この給紙検知センサ１４には、図４に示すように、用紙が差し掛かったときに、その用紙を検知できる光センサなどを用いることができる。
【００２８】
読取センサ（スキャナ手段）１５は、ＣＣＤ（電荷結合素子）等の撮像素子からなり、挿入された読取用用紙Ｐ１の手書き文字・飾り文字等を読み取る。
この読取センサ１５で読み取られた読取用用紙Ｐ１の記載事項は、制御部４０（後述）へ送られて所定の処理がなされる。
【００２９】
また、第一の搬送路１２の上板１２ａ，下板１２ｂには、図５（ａ），（ｂ）に示すように、ガイド棒挿入穴１６が所定数（本実施形態においては、ガイド棒挿入穴１６ａ，１６ｂ，１６ｃの３ヶ所）形成されている。
これらガイド棒挿入穴１６ａ，１６ｂ，１６ｃのそれぞれには、図４に示す断面形状矩形の細長い設定ガイド棒１７が挿入固定される。
【００３０】
即ち、設定ガイド棒１７を、左端のガイド棒挿入穴１６ａに挿入（一時固定）した場合には、例えば、Ａ４用紙の位置決めガイドとなり、真中のガイド棒挿入穴１６ｂに挿入した場合にはＡ５用紙の位置決めになり、同様に右端のガイド棒挿入穴１６ｃの場合にはＡ６用紙の位置決めとなる。
【００３１】
固定筐体部（第二の筐体部）２０は、図１、図２に示すように、キーボード２１と、第二の搬送路２２と、搬送ローラ２３ａ，２３ｂ，２３ｃと、印字ヘッド２４と、排紙検知センサ２５とを有している。
キーボード２１は、文字・数字・記号等の入力が行われるユーザインタフェイスである。
【００３２】
第二の搬送路２２は、対向配置された上板２２ａ及び下板２２ｂと、用紙を固定筐体部２０の前側面から排出する排出口２２ｃとを有しており、第一の搬送路１２を通って搬送されてきた用紙を、搬送ローラ２３ａ，２３ｂ，２３ｃの回転により、排出口２２ｃへ向けてスムーズに搬送されるようになっている。
【００３３】
即ち、読取用用紙Ｐ１は、記載事項が読取センサ１５で読み取られた後、第一及び第二の搬送路１２，２２を通って排出口２２ｃから排出される。そして、同様に印刷用用紙Ｐ２は印字ヘッド２４で印刷された後、排出口２２ｃから排出される（後述）。
なお、用紙が使用者の目前の排出口２２ｃから排出されるので、使用者は排紙の確認が容易である。
【００３４】
また、第二の搬送路２２には、第一の搬送路１２で搬送されてきた用紙を受け入れる受入口２２ｄ付近に、フラッパー２２ｅを有している。
フラッパー２２ｅは、図６に示すように、第一の搬送路１２から送られてきた用紙が第二の搬送路２２の受入口２２ｄを通過するように開放したり、逆にその用紙が通過しないように遮断したりするためのものである。
【００３５】
このフラッパー２２ｅは、図７に示すように、第二の搬送路２２の受入口２２ｄの全体又は一部を塞いだり開放したりするための板状部材２２ｅ−１と、この板状部材２２ｅ−１の一つの側面の全体又は一部に接合されており、板状部材２２ｅ−１の回動動作の軸となる軸部材２２ｅ−２と、この軸部材２２ｅ−２を支持するために固定筐体部２０などに固定された軸受部材２２ｅ−３と、板状部材２２ｅ−１が受入口２２ｄを蓋するように付勢するための弾性部材２２ｅ−４と、この弾性部材２２ｅ−４を支持するために固定筐体部２０などに固定された弾性支持部材２２ｅ−５と、軸部材２２ｅ−２に突設されており、弾性部材２２ｅ−４による付勢を受ける弾性受部材２２ｅ−６とを有している。
【００３６】
そして、固定筐体部２０には、フラッパー２２ｅの板状部材２２ｅ−１を回動させるための切替操作部２６が設けられている。
切替操作部２６は、フラッパー２２ｅの弾性受部材２２ｅ−６に当接するとともに、その弾性受部材２２ｅ−６の一つの面上を擦るようにしながら動く擦動部材２６ａと、この擦動部材２６ａを支持する切替部支持部材２６ｂと、この切替部支持部材２６ｂのうち固定筐体部２０の切替操作部用開口２７で露出する面に、固定筐体部２０の外側に向かって突設されたつまみ部材２６ｃとを有している。
【００３７】
つまみ部材２６ｃは、切替操作部用開口２７内で往復移動が可能となっている。そして、切替操作部用開口２７の近傍裏面には、切替部支持部材２６ｂを少なくとも二つの方向から支持するガイド２７ａが設けられており、切替部支持部材２６ｂは、そのガイド２７ａで支持された範囲内で、つまみ部材２６ｃの往復移動の方向と同じ方向に往復移動が可能となっている。このため、ノート型パソコン１の使用者は、つまみ部材２６ｃをつまみながら、切替操作部２６全体の往復移動操作を行うことができる。
なお、ガイド２７ａは、図７においては、切替部支持部材２６ｂをその側面と下面から支持しているが、切替部支持部材２６ｂの側面と下面から支持する形状に限るものではなく、切替部支持部材２６ｂを支持できる形状であれば、どのような形状であってもよい。
【００３８】
切替操作部２６が往復移動すると、擦動部材２６ａは、弾性受部材２２ｅ−６の一つの面上を擦るようにしながら往復移動する。擦動部材２６ａの移動方向のうち一の方向は、弾性部材２２ｅ−４により弾性受部材２２ｅ−６が付勢される方向とほぼ同じ方向であり、他の方向は、その付勢方向に反する方向である。
【００３９】
ここで、図７に示すように、擦動部材２６ａの移動方向が、弾性部材２２ｅ−４による付勢方向に反発する方向（同図中の太い矢印の方向）である場合、弾性受部材２２ｅ−６は、軸部材２２ｅ−２を軸として付勢方向に反発する方向へ回動する。そうすると、軸部材２２ｅ−２も自身を軸として回動する。このため、この軸部材２２ｅ−２に接合された板状部材２２ｅ−１も、それら弾性受部材２２ｅ−６や軸部材２２ｅ−２の回動にともなって回動する。これにより、板状部材２２ｅ−１は、第二の搬送路２２の受入口２２ｄの全体又は一部を蓋を開けるように開放することができる。
【００４０】
一方、図８に示すように、擦動部材２６ａの移動方向が、弾性部材２２ｅ−４による付勢方向と同じ方向（同図中の太い矢印の方向）である場合、弾性受部材２２ｅ−６は、軸部材２２ｅ−２を軸として付勢方向へ回動する。そうすると、軸部材２２ｅ−２も自身を軸として回動する。このため、この軸部材２２ｅ−２に接合された板状部材２２ｅ−１も、それら弾性受部材２２ｅ−６や軸部材２２ｅ−２の回動にともなって回動する。これにより、板状部材２２ｅ−１は、第二の搬送路２２の受入口２２ｄの全体又は一部を蓋をするように遮断することができる。
なお、図８においては、板状部材２２ｅ−１が軸部材２２ｅ−２に対してほぼ垂直上方向に突設した状態となっているが、軸部材２２ｅ−２に対してほぼ垂直上方向に突設した状態となるまで板状部材２２ｅ−１が回動することに限定するものではなく、第二の筐体２０の受入口２２ｄを塞ぐことができる程度の角度まで、板状部材２２ｅ−１が回動するようになっていればよい。
【００４１】
印字ヘッド２４は、インクジェット式あるいは感熱式の印字ヘッドであり、印刷用用紙Ｐ２に印字を行う。
排紙検知センサ２５は、用紙の終端の通過により、排紙が完了したことを検知する。
なお、ノート型パソコン１は、当然ながら用紙搬送用のモータ、ＣＣＤ，印字ヘッド等を制御する制御部を備えているが、図１〜図７においては図示を省略する。
【００４２】
次に、図９を参照しつつ、本実施形態の制御部を説明する。同図は、本実施形態の制御部及びその関係系統を示すブロック図である。
同図に示すように、制御部４０は、読取センサ制御部４１と、ＯＣＲ部（光学式文字読取部）４２と、用紙センサ制御部４３と、モータ駆動制御部４４と、印字制御部４５と、キーボード制御部４６とを有している。
また、制御部４０には、ＬＣＤ１１と、給紙検知センサ１４と、読取センサ１５と、印字ヘッド２４と、排紙検知センサ２５と、図示省略の用紙搬送用のモータ等が接続されている。
【００４３】
読取センサ制御部４１は、読取センサ１５が読取用用紙Ｐ１に書かれた手書き文字等を読取る際の制御を行う。
ＯＣＲ部（解析手段）４２は、読取センサ１５が読み取った手書き文字を、文字データに変換する。即ち、手書き文字の解析を行い、印刷用の文字データに変換する。
【００４４】
用紙センサ制御部４３は、用紙が第一の搬送路１２へ挿入された際の給紙検知センサ１４による検知信号、および用紙が第二の搬送路２２から排出された際の排紙検知センサ２５の検知信号の処理を行う。
【００４５】
モータ駆動制御部４４は、図示省略の用紙搬送用のモータの回転駆動を制御する。
印字制御部（印刷手段）４５は、前記ＯＣＲ部４２が変換した文字データを印字ヘッド２４に出力し、どのような印刷をするのかの制御を行う。また、キーボード２１から入力された文字等のデータを印字ヘッド２４に出力する。
キーボード制御部４６は、キーボード２１からのキー入力を検知し、該キー入力に応じたデータを発生する。
【００４６】
次に、本実施形態の動作を、図１０を参照しつつ説明する。同図は、本実施形態のフローチャート図である。
同図に示すように、先ず、使用者は、飾り付きのＡ４用紙の記入欄の全てに、手書きで所定事項を記入する（ステップＳ１）。次いで、ノート型パソコン１の可動筐体部１０を１２０度まで開き、前記記入済みの用紙を第一の搬送路１２の挿入口１２ｃに挿入する（ステップＳ２）。
【００４７】
すると、給紙検知センサ１４が用紙の挿入を検知し、モータ駆動制御部４４の制御の下に搬送ローラ１３ａ，１３ｂが回転し、用紙を搬送する。読取センサ１５は順次手書きの用紙を読み取り（ステップＳ３）、ＯＣＲ部４２により解析し、文字データに変換し、該文字データを図示省略のメモリに格納する（ステップＳ４）。やがて、読み取りが終了すると（ステップＳ５：Ｙｅｓ）、第二の搬送路２２の排出口２２ｃから用紙を排出し（排紙方向Ｂ）、用紙の末端の通過を排紙検知センサ２５が検知する（ステップＳ６）。
【００４８】
そして、全ての手書き用紙の読取，ＯＣＲ処理，排出が終了した場合には（ステップＳ７：Ｙｅｓ）、印刷用用紙Ｐ２を第一の搬送路１２の挿入口１２ｃに挿入し（ステップＳ８）、キーボード２１から所定のキー入力を行う。
【００４９】
すると、搬送ローラ１３ａ，１３ｂ，２３ａ，２３ｂ，２３ｃが回転し、印刷用用紙Ｐ２を印字ヘッド２４の位置まで搬送し、前記メモリから一枚分の文字データを読み出し、印字制御部４５の制御の下に印刷を行い（ステップＳ９）、排紙する（ステップＳ１０）。
そして、全ての用紙の印刷が終了するまで、一枚ずつ挿入口１２ｃに手差し挿入を続行し（ステップＳ１１：Ｎｏ）、全ての印刷が終了する（ステップＳ１１：Ｙｅｓ）。
【００５０】
［第二実施形態］
次に、本発明のノート型パソコンに係る第二の実施形態について、図１１を参照して説明する。
同図は、本実施形態のノート型パソコンの内部構成を示す断面側面図である。
本実施形態は、第一実施形態と比較して、給紙方法が相違する。すなわち、第一実施形態では、可能筐体部の上方にある挿入口から手差しで用紙を挿入していたのに対し、本実施形態では、用紙を自動的に給紙する給紙装置を固定筐体部に設けた点で相違する。他の構成要素は第一実施形態と同様である。
したがって、図１１において、図１等と同様の構成部分については同一の符号を付して、その詳細な説明を省略する。
【００５１】
図１１は、本実施形態のノート型パソコンの要部側面図である。
同図に示すように、ノート型パソコン１は、固定筐体部２０が載置される箱状の給紙装置（給紙カセット手段）５０が設けられている。
この給紙装置５０の上面は、固定筐体部２０の底面部面積とほぼ同じ面積を持つことができる。
【００５２】
給紙装置５０の内部には、印刷用用紙Ｐ２を積層載置する載置板５１が配置され、該載置板５１の下面には給紙装置５０の底板との間にコイルバネ５２ａ，５２ｂが配置されている。該コイルバネ５２ａ，５２ｂの付勢力により、印刷用用紙Ｐ２は載置板５１を介して上方に持ち上げられる。
【００５３】
載置板５１の上方には、（図１１においては反時計方向に）回転駆動される給紙ローラ５３が配置されている。さらに、この給紙ローラ５３の側方には、斜め上方に（給紙孔５５に向かって）印刷用用紙Ｐ２を搬送するガイド板５４が配置されている。
給紙孔５５は、給紙装置５０から第二の搬送路２２へ印刷用用紙Ｐ２を送り出すために、給紙装置５０の上面隅に形成された孔である。この給紙孔５５とガイド板５４の上端部との間には、印刷用用紙Ｐ２を上方にガイドするガイド部材５６が配置されている。
【００５４】
そして、本実施形態では、可動筐体部１０のフラッパー２２ｅは、第二の搬送路２２の受入口２２ｄを塞ぐような位置に固定される。
即ち、本実施形態においては、ガイド板５４と給紙孔５５とガイド部材５６とフラッパー２２ｅとによって、印刷用用紙Ｐ２の給紙路（第二の給紙方向Ｃ）が形成される。なお、この正確な第二の給紙方向Ｃが形成されるように、給紙装置５０の上蓋とノート型パソコン１の底面との間に、位置決め部材を設けてもよい。
【００５５】
そして、給紙装置５０からノート型パソコン１に給紙する場合には、先ず、フラッパー２２ｅを第二の搬送路２２の受入口２２ｄを塞ぐような位置に固定し、給紙装置５０の上蓋に第二の給紙方向Ｃが形成されるように、ノート型パソコン１を載置する。なお、読取用用紙Ｐ１の読み取りは全て終了し（図１０のステップＳ７までが終了済み）、文字データが前述のメモリに格納されているものとする。
【００５６】
この状態でキーボード２１を介して、給紙装置５０からの印刷用用紙Ｐ２の給紙である旨の所定の指示入力を行う。指示入力としては、例えば、予め判明している読取用用紙Ｐ１の枚数を入力してもよいし、メモリに格納した文字データの内の、所望のページを印刷するようにしてもよい。
【００５７】
所定の指示入力により、給紙ローラ５３が（図１１においては反時計方向に）に回転し、最上位の印刷用用紙Ｐ２を一枚、ガイド板５４方向に送り出し、第二の給紙方向Ｃにより搬送ローラ２３ｃの間に送り込む。すると、印刷用用紙Ｐ２は第二の搬送路２２を搬送され、印字ヘッド２４により前記メモリに格納された画像データが印刷される。
やがて、印刷が終了すると印刷済みの印刷用用紙Ｐ２は排出口２２ｃから排出され、前記指示入力に対応した全ての印刷の終了を排紙検知センサ２５が検知すると、給紙ローラ５３の回転等の、給紙装置５０の機能が停止する。
【００５８】
なお、上記各実施形態では、スキャナを可動筐体部１０に取り付けた場合を説明したが、スキャナを固定筐体部２０に取り付けてもよいことは、勿論である。
また、ＯＣＲ部４２で解析したデータをメモリに蓄積しておき、後日、必要に応じて集計（例えば、年代，性別に応じた設計書の記載内容等）をし、更にはグラフ等を作成するようにしてもよい。
【００５９】
本実施形態においては、ガイド板５４，給紙孔５５，ガイド部材５６，フラッパー２２ｅ等を総称して「印刷用用紙給紙手段」という。
また、図１１においては、給紙装置５０から第二の搬送路２２へ用紙を給紙するために、第一の搬送路１２から送られてくる用紙の進入を遮断する位置にフラッパー２２ｅの板状部材２２ｅ−２を固定してあるが、給紙装置５０が装着されたノート型パソコン１において（給紙装置５０からではなく）第一の搬送路１２から送られてきた用紙を第二の搬送路２２へ送る場合は、図１２に示すように、給紙装置５０から送られてくる用紙の進入を遮断する位置にフラッパー２２ｅの板状部材２２ｅ−２を固定することができる。
【００６０】
【発明の効果】
以上説明したように本発明によれば、以下の効果を発揮することができる。
請求項１記載の発明によれば、例えば、Ａ４版のノート型パソコンの第一の筐体部には、スキャナ手段が備えられているので、大きな用紙Ｐ１を読み取り、ＯＣＲ部で手書き文字を解析し、印刷用のデータに変換して印刷できる。
【００６１】
請求項２記載の発明によれば、スキャナ手段が読み取った手書き文字を表示手段に表示し、再度の記入事項の確認をすることができる。また、表示手段にはＯＣＲ部４解析後の文字等の表示をすることも、可能である。
【００６２】
請求項３記載の発明によれば、挿入口から挿入された手書きの読取用用紙をスキャナ手段が読み取り、読み取った後、フラッパーを介して第二の搬送路に搬送し、排出口から排出することができる。また、解析手段で解析後は、前記と同じ経路で印刷用用紙を搬送しつつ、印刷手段により活字体の文字（鮮明な文字）で印刷をすることが可能となる。
【００６３】
請求項４記載の発明によれば、給紙カセット手段に積層載置された印刷用用紙を、順次自動的に第二の搬送路，印字ヘッドへ搬送することができるので、印刷用用紙の手差しの煩わしさを、無くすことが出来る。
【図面の簡単な説明】
【図１】本発明の第一実施形態におけるノート型パソコンの全体構成を示す外観斜視図である。
【図２】同実施形態におけるノート型パソコンの内部構成を示す断面側面図である。
【図３】第一及び第二の搬送路の構成を示す構成概略図である。
【図４】同実施形態における、用紙とガイド部材等との関係を示す正面図である。
【図５】同実施形態における第一の搬送路の挿入口付近の構成を示す構成概略図である。
【図６】同実施形態におけるノート型パソコンの各搬送路及びフラッパーの構成を示す外観斜視図である。
【図７】フラッパー及び切替操作部の構造を示す斜視図であって、第二の搬送路の受入口が開放される際のフラッパーの状態を示す図である。
【図８】フラッパー及び切替操作部の構造を示す斜視図であって、第二の搬送路の受入口が遮断される際のフラッパーの状態を示す図である。
【図９】同実施形態における、制御系のブロック図である。
【図１０】同実施形態のフローチャート図である。
【図１１】本発明の第二の実施形態におけるノート型パソコンの内部構成を示す要部側面図である。
【図１２】本発明の第二の実施形態におけるノート型パソコンの他の内部構成を示す要部側面図である。
【符号の説明】
１  ノート型パソコン
１０  可動筐体部
１１  表示部
１２  第一の搬送路
１２ａ  第一の搬送路の上板
１２ｂ  第一の搬送路の下板
１２ｃ  用紙の挿入口
１３ａ，１３ｂ  搬送ローラ
１４  給紙検知センサ
１５  読取センサ
１６ａ，１６ｂ，１６ｃ  ガイド棒挿入穴
１７  設定ガイド棒
２０  固定筐体部
２１  キーボード
２２  第二の搬送路
２２ａ  第二の搬送路の上板
２２ｂ  第二の搬送路の下板
２２ｃ  排出口
２２ｄ  受入口
２２ｅ  フラッパー
２３ａ，２３ｂ，２３ｃ  搬送ローラ
２４  印字ヘッド
２５  排紙検知センサ
２６  切替操作部
２７  切替操作部用開口
３０  ヒンジ部
４０  制御部
４１  読取センサ制御部
４２  ＯＣＲ部
４３  用紙センサ制御部
４４  モータ駆動制御部
４５  印字制御部
４６  キーボード制御部
５０  給紙装置
５１  載置板
５２ａ，５２ｂ  コイルバネ
５３  給紙ローラ
５４  ガイド板
５５  給紙孔
５６  ガイド部材
Ａ  第一の給紙方向
Ｂ  排紙方向
Ｃ  第二の給紙方向
Ｐ１  読取用用紙
Ｐ２  印刷用用紙
【図１】
2005018364.tif 000003
【図２】
2005018364.tif 000004
【図３】
2005018364.tif 000005
【図４】
2005018364.tif 000006
【図５】
2005018364.tif 000007
【図６】
2005018364.tif 000008
【図７】
2005018364.tif 000009
【図８】
2005018364.tif 000010
【図９】
2005018364.tif 000011
【図１０】
2005018364.tif 000012
【図１１】
2005018364.tif 000013
【図１２】
2005018364.tif 000014